(57)【要約】【課題】装置の大型化を抑制すると共に簡単な構成で冷凍機から排出される熱を処理し、暖房時において冷凍機から排出される熱を暖房の熱源として利用することのできる空気調和システムを提供する。【解決手段】暖房運転モードを含む複数の運転モードを有する主空調機３０と、冷凍機２０から排出された熱を処理する空気を供給する冷凍機用空調機４０と、冷凍機２０から排出される熱を含む空気を店舗１内の所定箇所に搬送する排気搬送機構２５と、を備え、排気搬送機構２５は、主空調機３０が暖房運転モードの場合に、冷凍機２０から排出される熱を含む空気を店舗内の所定箇所に搬送する排気搬送動作を行う。これにより、冷凍機２０から排出された熱を店舗内の暖房の熱源として利用することができるので、店舗内の暖房時におけるエネルギーの消費量を低減することが可能となる。【選択図】図２
2020098086.tif 000002
【特許請求の範囲】
【請求項１】
冷凍機を内蔵したショーケースが設置された店舗用の空気調和システムであって、
暖房運転モードを含む複数の運転モードを有する主空調機と、
前記冷凍機から排出された熱を処理する空気を供給する冷凍機用空調機と、
前記冷凍機から排出された熱を含む空気を店舗内の所定箇所に搬送する排気搬送機構と、を備え、
前記排気搬送機構は、前記主空調機が暖房運転モードの場合に、前記冷凍機から排出された熱を含む空気を店舗内の所定箇所に搬送する排気搬送動作を行う
空気調和システム。
【請求項２】
前記排気搬送機構による排気搬送動作の開始から所定時間経過後に、前記冷凍機用空調機から供給される空気の設定温度が設定可能な範囲の上限温度よりも低い場合に、前記冷凍機用空調機から供給される空気の設定温度を上昇させる
請求項１に記載の空気調和システム。
【請求項３】
前記排気搬送機構による排気搬送動作の開始から所定時間経過後に、前記冷凍機用空調機から供給される空気の設定温度が設定可能な範囲の上限温度である場合に、前記冷凍機用空調機における冷凍機から排出される熱の処理を停止する
請求項１または２に記載の空気調和システム。
【発明の詳細な説明】
【技術分野】
【０００１】
本発明は、冷凍機を内蔵したショーケースが設置された店舗用の空気調和システムに関するものである。
【背景技術】
【０００２】
例えばコンビニエンスストア等の店舗では、圧縮機及び凝縮器を含む冷凍機を内蔵したショーケースが設置される場合がある。ショーケースに内蔵された冷凍機から排出された熱は、冬期等、店舗内の暖房を行っている状態で、暖房負荷を低減する方向に作用するが、夏期等、店舗内の冷房を行っている状態で、冷房負荷を増大させる方向に作用する。
【０００３】
従来の店舗では、冷凍機から排出された熱による冷房負荷の増大を抑制するために、冷凍機から排出された熱を放出する空気を店舗外から供給し、冷凍機から排出された熱によって加熱された空気を店舗外に排出する給排気装置を備えたものが知られている（例えば、特許文献１参照）。
【先行技術文献】
【特許文献】
【０００４】
【特許文献１】特開２０１６−５７０１２号公報
【発明の概要】
【発明が解決しようとする課題】
【０００５】
前記給排気装置を備えた店舗では、店舗外の空気を冷凍機に供給するための給気流路と、冷凍機から排出された空気を店舗外に排出するための排気流路と、を天井内に設置する必要があり、設備が複雑化するとともに大型化することになる。また、前記給排気装置を備えた店舗では、夏期等において高温となる店舗外の空気を冷凍機に供給することになるため、凝縮器における冷媒との熱交換面積を大きくする必要がある。
【０００６】
本発明の目的とするところは、装置の大型化を抑制すると共に簡単な構成で冷凍機から排出される熱を処理し、暖房時において冷凍機から排出される熱を暖房の熱源として利用することのできる空気調和システムを提供することにある。
【課題を解決するための手段】
【０００７】
本発明の空気調和システムは、前記目的を達成するために、冷凍機を内蔵したショーケースが設置された店舗用の空気調和システムであって、暖房運転モードを含む複数の運転モードを有する主空調機と、前記冷凍機から排出された熱を処理する空気を供給する冷凍機用空調機と、前記冷凍機から排出された熱を含む空気を店舗内の所定箇所に搬送する排気搬送機構と、を備え、前記排気搬送機構は、前記主空調機が暖房運転モードの場合に、前記冷凍機から排出された熱を含む空気を店舗内の所定箇所に搬送する排気搬送動作を行う。
【発明の効果】
【０００８】
本発明によれば、ショーケースの冷凍機から店舗内に排出された熱を、冷凍機用空調機によって処理することができるので、冷凍機から排出された熱を店舗外に排出するための装置を必要とすることなく、簡単な構成で冷凍機から排出される熱を処理することができる。よって、装置の大型化を抑制することができる。また、冷凍機から排出された熱を店舗内の暖房の熱源として利用することができるので、店舗内の暖房時におけるエネルギーの消費量を低減することが可能となる。
【図面の簡単な説明】
【０００９】
【図１】本発明の一実施形態を示す空気調和システムの概略構成図である。
【図２】空気調和システムの要部概略構成図である。
【図３】制御系を示すブロック図である。
【図４】排熱利用処理を示すフローチャートである。
【発明を実施するための形態】
【００１０】
図１乃至図４は、本発明の一実施形態を示すものである。
【００１１】
本発明の空気調和システムは、図１に示すように、コンビニエンスストア等の店舗１内の温度及び湿度を調整するためのものである。
【００１２】
店舗１は、建築物の内部に形成された略直方体形状の空間に構成され、空間の短手方向一端側の壁面における長手方向一端側に出入口１ａが設けられている。
【００１３】
店舗１内には、店舗１内の短手方向に互いに間隔をおいて並べられ、それぞれ長手方向に延びる複数の商品棚２と、店舗１内の長手方向の一端側に設けられたカウンター３と、店舗１内の長手方向他端側に設けられた倉庫４と、倉庫４内に設けられたウォークイン冷蔵庫５と、店舗１内の短手方向他端側に位置する商品棚２に隣接して並ぶように設けられた冷凍オープンショーケース６と、店舗１内の短手方向の他端側の壁面に沿って設けられたリーチイン冷凍庫７及び複数の冷蔵オープンショーケース１０と、が設置されている。
【００１４】
ウォークイン冷蔵庫５は、店舗１内の通路側の面に設けられた商品取出用開口と、庫内の商品陳列棚に商品を補充する作業者が出入りするために倉庫４内側に設けられた商品補充用開口と、を有する箱状に形成されている。ウォークイン冷蔵庫５は、商品取出用開口が、ガラス板等の透明な部材によって内部の商品陳列棚に陳列された商品を視認可能な商品取出扉によって開閉され、商品補充用開口が、補充開口開閉扉によって開閉される。
【００１５】
冷凍オープンショーケース６は、上面が開口された平型のオープンショーケースであり、内側に氷菓子等の商品を収納するための商品収納部が形成されている。冷凍オープンショーケース６は、上面の開口部分にエアカーテンが形成される。
【００１６】
リーチイン冷凍庫７は、前面が開口され、内部に冷凍食品等の商品が収納される商品収納部が形成された冷凍庫である。リーチイン冷凍庫７は、前面の開口がガラス板等の透明な部材によって内部を視認可能な商品取出扉によって開閉される。
【００１７】
複数の冷蔵オープンショーケース１０は、それぞれ、前面が開口された本体を有する多段オープンショーケースである。冷蔵オープンショーケース１０は、図２に示すように、本体内部に商品を収納するための商品収納部１１が形成され、商品収納部１１内の上下方向に複数の商品陳列棚１１ａが設けられている。冷蔵オープンショーケース１０は、商品収納部１１の下面側、背面側、上面側に沿って形成された通風路１２を有している。通風路１２内には、商品収納部１１の下面側、背面側、上面側の順に空気を流通させるための第１送風機１２ａが設けられている。商品収納部１１の上面側に位置する通風路１２の前端側には、下方に臨む空気吐出口１２ｂが形成されている。また、商品収納部１１の下面側に位置する通風路１２の前端側には、上方に臨む空気吸入口１２ｃが形成されている。商品収納部１１の前面開口には、通風路１２を流通する空気が、空気吐出口１２ｂから吐出されて空気吸入口１２ｃから吸入されることによって、エアカーテンが形成される。また、冷蔵オープンショーケース１０の背面側の上部に位置する通風路１２には、冷媒を蒸発させて通風路１２を流通する空気を冷却するための蒸発器１２ｄと、蒸発器１２ｄにおいて冷媒と熱交換する空気を流通させるための第２送風機１２ｅと、が設けられている。
【００１８】
また、複数の冷蔵オープンショーケース１０は、それぞれ、蒸発器１２ｄとの間で冷媒を循環させて冷凍サイクルを構成する冷凍機２０が本体の上部に設置された冷凍機内蔵型のショーケースである。
【００１９】
冷凍機２０は、冷媒を圧縮して吐出する図示しない圧縮機と、圧縮機から吐出された冷媒を凝縮させるための凝縮器２１と、凝縮器２１において凝縮した冷媒を膨張させるための図示しない膨張弁と、凝縮器２１において冷媒と熱交換する空気を流通させるための凝縮器用送風機２２と、を有している。冷凍機２０を構成する凝縮器２１及び凝縮器用送風機２２等の機器は、ケーシング２３に収容されている。ケーシング２３は、冷蔵オープンショーケース１０の上部の前面側に配置されている。
【００２０】
ケーシング２３の前面には、ケーシング２３内に空気を流入させるための流入口２３ａが設けられている。また、ケーシング２３の上面には、ケーシング２３内を流通した空気を流出させるための流出口２３ｂが設けられている。
【００２１】
また、ケーシング２３内おける凝縮器２１の空気流通方向下流側には、蒸発器１２ｄによって空気を冷却する際に生じる結露水や蒸発器に付着した霜を取り除く際に生じる除霜水等のドレン水を蒸発させるためのドレン水蒸発処理機構２４が設けられている。
【００２２】
ドレン水蒸発処理機構２４は、ドレン水を貯留するためのドレンパン２４ａと、ドレンパン２４ａに貯留されたドレン水の蒸発を促進するための不織布からなる蒸発促進部材２４ｂと、を有している。冷蔵オープンショーケース１０の上部において、蒸発器１２ｄとドレンパン２４ａとの間には、蒸発器１２ｄからドレンパン２４ａに向かって下り傾斜となる図示しないドレン水流路が形成されている。蒸発器１２ｄにおいて生じたドレン水は、ドレン水流路を流通してドレンパン２４ａに貯留される。ドレン水蒸発処理機構２４は、ドレンパン２４ａに貯留されたドレン水を吸収した蒸発促進部材２４ｂにケーシング２３内を流通する空気を接触させることによってドレン水を蒸発させる。
【００２３】
冷蔵オープンショーケース１０の上部の前面側には、後述する冷凍機用空調機から供給された空気を流入口２３ａに向かって案内するためのガイド板２３ｃが設けられている。ガイド板２３ｃは、流入口２３ａの外側において、流入口２３ａの幅方向に延びるとともに上方に向かって延びている。
【００２４】
店舗１の天井内には、冷凍機２０から排出された熱が放出された空気を店舗１内の所定箇所に搬送するための複数の排気搬送機構２５と、店舗１内の空気の温度及び湿度を調整するための複数の主空調機３０と、冷蔵オープンショーケース１０の冷凍機２０から排出された熱を処理するための複数の冷凍機用空調機４０と、が設置されている。
【００２５】
複数の排気搬送機構２５は、それぞれ、冷凍機２０の上方に位置する天井面Ｃに設けられた排気搬送用送風機２５ａと、店舗１内の所定箇所の天井面に設けられた排気吹出口２５ｂと、排気搬送用送風機２５ａと排気吹出口２５ｂとを接続する排気搬送用ダクト２５ｃと、を有している。複数の排気搬送機構２５は、それぞれ、排気搬送用送風機２５ａの駆動によって冷凍機２０の上方の空気を、排気搬送用ダクト２５ｃに流入させて排気吹出口２５ｂから店舗１内に吹き出させる。各排気搬送用送風機２５ａは、天井に取り付けられる天井扇である。各排気吹出口２５ｂは、例えば、店舗１内の空気が流出し易く店舗外の空気が流入し易い出入口１ａの近傍に配置される。
【００２６】
複数の主空調機３０及び複数の冷凍機用空調機４０は、室外ユニットと室内ユニットとの間に冷凍サイクルが構成される空気調和装置の室内ユニットに相当するものである。複数の主空調機３０及び複数の冷凍機用空調機４０は、それぞれ、店舗１内に供給する空気と冷媒とを熱交換するための図示しない室内熱交換器を有している。
【００２７】
複数の主空調機３０は、店舗１内の出入口１ａ側において互いに店舗１の長手方向に間隔をおいて配置されている。複数の主空調機３０は、互いに連動して、冷房運転モード、暖房運転モード及び除湿運転モード等の運転モードが切り替えられる。各主空調機３０は、下方に位置する天井面Ｃに取り付けられる正方形のパネル３１を有する、所謂、４方向天井カセット型の空調機である。各主空調機３０は、パネル３１の中央部に設けられた空気吸入部から店舗１内の空気を吸入し、パネル３１の外周部の各辺に沿って設けられた空気吹出口から店舗内に空気を吹き出す。
【００２８】
複数の冷凍機用空調機４０は、店舗１内の複数の冷蔵オープンショーケース１０側において互いに店舗１内の長手方向に間隔をおいて配置されている。複数の冷凍機用空調機４０は、店舗１内の空気を吸入して冷却し、冷却した空気を店舗１内に供給する。各冷凍機用空調機４０は、所謂、ビルトイン型の空調機である。各冷凍機用空調機４０は、図２に示すように、天井内に位置する図示しない空気吸入口と天井面Ｃに取り付けられる矩形状の空気吸入パネル４１とがダクト４３を介して接続され、天井内に位置する図示しない空気吐出口と天井面Ｃに取り付けられる複数の吹出口４２とがダクト４４を介して接続されている。ここで、空気吸入パネル４１は、店舗１の天井面Ｃにおいて冷凍オープンショーケース６の上方を避けた位置に配置される。
【００２９】
複数の吹出口４２は、それぞれ、所謂、ライン型やユニバーサル型の吹出口である。複数の吹出口４２は、図１に示すように、それぞれ、複数の冷蔵オープンショーケース１０の上方において、冷蔵オープンショーケース１０の前面に沿って互いに所定の間隔をおいて配置されている。複数の吹出口４２は、天井面Ｃから店舗１内に空気を吹き出す際に空気の吹き出し方向を調整するための図示しない吹出方向調整機構を有している。複数の吹出口４２は、図２に示すように、それぞれの空気の吹き出し方向が、下方の近傍に位置する冷蔵オープンショーケース１０の冷凍機２０の流入口２３ａに向けられている。
【００３０】
また、本発明の空気調和システムは、店舗１内の温度を設定された温度とするために、主空調機３０及び冷凍機用空調機４０の動作を制御するためのコントローラ５０を備えている。
【００３１】
コントローラ５０は、ＣＰＵ、ＲＯＭ，ＲＡＭを有している。コントローラ５０は、入力側に接続された装置からの入力信号を受信すると、ＣＰＵが、入力信号に基づいてＲＯＭに記憶されたプログラムを読み出すとともに、入力信号によって検出された状態をＲＡＭに記憶したり、出力側に接続された装置に出力信号を送信したりする。
【００３２】
コントローラ５０の入力側には、図３に示すように、店舗１内の目標温度等の設定を入力するための設定入力部５１と、店舗１内の温度を検出するための店内温度センサ５２と、店舗１内における冷蔵オープンショーケース１０の冷凍機２０の上方の温度を検出するための冷凍機排気温度センサ５３と、冷凍機用空調機４０から吐出されて吹出口４２から吹き出される空気の温度を検出するための冷凍機用空調機吹出温度センサ５４と、が接続されている。コントローラ５０の出力側には、排気搬送用送風機２５ａ、主空調機３０及び冷凍機用空調機４０が接続されている。また、コントローラ５０には、主空調機３０の運転モードに関する信号が入力される。
【００３３】
以上のように構成された空気調和システムにおいて、主空調機３０は、店舗１内の空気を吸入して室内熱交換器によって加熱または冷却して店舗１内に吹き出す。その際、コントローラ５０は、店舗１内の温度を設定入力部５１において設定された設定温度Ｔｓとするために、店内温度センサ５２の検出温度に基づいて、主空調機３０から店舗１内に吹き出す空気の温度を制御する。
【００３４】
また、冷凍機用空調機４０は、店舗１内の空気を空気吸入パネル４１から吸入して室内熱交換器によって冷却し、吹出口４２から冷凍機２０の流入口２３ａに向かって冷却した空気を吹き出す排熱処理運転を行う。
【００３５】
さらに、冷凍機２０は、冷凍機用空調機４０から店舗１内に吹き出された空気を、凝縮器用送風機２２の駆動によって流入口２３ａからケーシング２３内に流入させる。その際、冷凍機用空調機４０から店舗１内に吹き出された空気は、ガイド板２３ｃによって流入口２３ａに向かって案内されるため、冷蔵オープンショーケース１０の商品収納部１１の前面側への流通が規制される。ケーシング２３内に流入した空気は、凝縮器２１において冷媒と熱交換することによって加熱されて、ケーシング２３内を流通して流出口２３ｂから店舗１内に流出する。
【００３６】
ここで、コントローラ５０は、主空調機３０が暖房運転を行っている場合に、冷凍機２０から排出された熱を、店舗１内の暖房の熱源として利用するための排熱利用処理を行う。このときのコントローラ５０の動作を図４のフローチャートを用いて説明する。
【００３７】
（ステップＳ１）
ステップＳ１においてＣＰＵは、冷凍機用空調機４０から店舗１内に供給する空気の目標の温度である設定温度Ｔｒｓを、所定の基準温度Ｔｒｒに設定して冷凍機用空調機４０の排熱処理運転を開始し、ステップＳ２に処理を移す。
【００３８】
（ステップＳ２）
ステップＳ２においてＣＰＵは、主空調機３０が暖房運転モードであるか否かを判定する。主空調機３０が暖房運転モードであると判定した場合にはステップＳ３に処理を移し、主空調機３０が暖房運転モードであると判定しなかった場合にはステップＳ４に処理を移す。
【００３９】
ここで、主空調機３０が暖房運転モードであると判定しなかった場合とは、主空調機３０が冷房運転モード、除湿運転モードまたは送風運転モードを行っている場合や、運転を停止している場合など、暖房運転モード以外の状態である。
【００４０】
（ステップＳ３）
ステップＳ２において主空調機３０が暖房運転モードであると判定した場合に、ステップＳ３においてＣＰＵは、排気搬送動作として排気搬送用送風機２５ａの運転を開始してステップＳ５に処理を移す。
【００４１】
ここで、冷凍機２０の流出口２３ｂから流出する空気は、排気搬送用送風機２５ａの運転によって、排気搬送用ダクト２５ｃを流通して店舗１内の所定位置に設けられた排気吹出口２５ｂから吹き出される。
【００４２】
（ステップＳ４）
ステップＳ３において主空調機３０が暖房運転モードであると判定しなかった場合に、ステップＳ４においてＣＰＵは、排気搬送用送風機２５ａの運転を停止してステップＳ２に処理を移す。
【００４３】
（ステップＳ５）
ステップＳ５においてＣＰＵは、排気搬送用送風機２５ａの運転を開始してから所定時間（例えば、５分）が経過したか否かを判定する。排気搬送用送風機２５ａの運転を開始してから所定時間が経過したと判定した場合にはステップＳ６に処理を移し、排気搬送用送風機２５ａの運転を開始してから所定時間が経過するまでステップＳ５の処理を繰り返す。
【００４４】
（ステップＳ６）
ステップＳ５において排気搬送用送風機２５ａの運転を開始してから所定時間が経過したと判定した場合に、ステップＳ６においてＣＰＵは、主空調機３０が暖房運転モードであるか否かを判定する。主空調機３０が暖房運転モードであると判定した場合にはステップＳ７に処理を移す。主空調機３０が暖房運転モードであると判定しなかった場合にはステップＳ４に処理を移し、排気搬送用送風機２５ａの運転を停止する。
【００４５】
（ステップＳ７）
ステップＳ６において主空調機３０が暖房運転モードであると判定した場合に、ステップＳ７においてＣＰＵは、冷凍機用空調機４０から店舗１内に供給する空気の設定温度Ｔｒｓが設定可能な範囲内の上限温度Ｔｒｍａｘであるか否か判定する。冷凍機用空調機４０から店舗１内に供給する空気の設定温度Ｔｒｓが設定可能な範囲内の上限温度Ｔｒｍａｘであると判定した場合にはステップＳ８に処理を移し、冷凍機用空調機４０から店舗１内に供給する空気の設定温度Ｔｒｓが設定可能な範囲内の上限温度Ｔｒｍａｘであると判定しなかった場合にステップＳ９に処理を移す。
【００４６】
（ステップＳ８）
ステップＳ７において冷凍機用空調機４０から店舗１内に供給する空気の設定温度Ｔｒｓが設定可能な範囲内の上限温度Ｔｒｍａｘであると判定した場合に、ステップＳ８においてＣＰＵは、冷凍機用空調機４０を停止してステップＳ２に処理を移す。
【００４７】
（ステップＳ９）
ステップＳ７において冷凍機用空調機４０から店舗１内に供給する空気の設定温度Ｔｒｓが設定可能な範囲内の上限温度Ｔｒｍａｘであると判定しなかった場合に、ステップＳ９においてＣＰＵは、冷凍機用空調機吹出温度センサ５４の検出温度Ｔｄに所定温度αを加えた温度（Ｔｄ＋α）が、冷凍機用空調機４０から店舗１内に供給する空気の温度の設定温度Ｔｒｓよりも高いか否かを判定する。冷凍機用空調機吹出温度センサ５４の検出温度Ｔｄに所定温度αを加えた温度（Ｔｄ＋α）が、冷凍機用空調機４０から店舗１内に供給する空気の設定温度Ｔｒｓよりも高いと判定した場合にはステップＳ１０に処理を移し、冷凍機用空調機吹出温度センサ５４の検出温度Ｔｄに所定温度αを加えた温度（Ｔｄ＋α）が、冷凍機用空調機４０から店舗１内に供給する空気の設定温度Ｔｒｓよりも高いと判定しなかった場合にはステップＳ２に処理を移す。
【００４８】
ここで、冷凍機用空調機吹出温度センサ５４の検出温度Ｔｄに所定温度αを加えた温度（Ｔｄ＋α）が、冷凍機用空調機４０から店舗１内に供給する空気の設定温度Ｔｒｓよりも高いと判定しなかった場合とは、設定温度Ｔｒｓが高くなる方向に変更されてから、冷凍機用空調機４０から店舗１内に供給する空気の実際の温度が上昇するまでの間に生じる。
【００４９】
（ステップＳ１０）
ステップＳ９において冷凍機用空調機吹出温度センサ５４の検出温度Ｔｄに所定温度αを加えた温度（Ｔｄ＋α）が、冷凍機用空調機４０から店舗１内に供給する空気の設定温度Ｔｒｓよりも高いと判定した場合に、ステップＳ１０においてＣＰＵは、冷凍機用空調機４０から店舗１内に供給する空気の設定温度Ｔｒｓをβ（Ｋ）上昇させて冷凍機用空調機４０による排熱処理運転を行いステップＳ２に処理を移す。
【００５０】
このように、本実施形態の空気調和システムは、暖房運転モードを含む複数の運転モードを有する主空調機３０と、冷凍機２０から排出された熱を処理する空気を供給する冷凍機用空調機４０と、冷凍機２０から排出される熱を含む空気を店舗１内の所定箇所に搬送する排気搬送機構２５と、を備え、排気搬送機構２５は、主空調機３０が暖房運転モードの場合に、冷凍機２０から排出される熱を含む空気を店舗１内の所定箇所に搬送する排気搬送動作を行う。
【００５１】
これにより、冷蔵オープンショーケース１０の冷凍機２０から店舗１内に排出された熱を、冷凍機用空調機４０によって処理することができるので、冷凍機２０から排出された熱を店舗１外に排出するための装置を必要とすることなく、簡単な構成で冷凍機２０から排出される熱を処理することができる。よって、装置の大型化を抑制することができる。また、冷凍機２０から排出された熱を店舗１内の暖房の熱源として利用することができるので、店舗１内の暖房時におけるエネルギーの消費量を低減することが可能となる。
【００５２】
また、排気搬送機構２５による排気搬送動作の開始から所定時間経過後に、冷凍機用空調機４０から供給される空気の設定温度Ｔｒｓが設定可能な範囲の上限温度Ｔｒｍａｘよりも低い場合に、冷凍機用空調機４０から供給される空気の設定温度Ｔｒｓを上昇させる。
【００５３】
また、排気搬送機構２５による排気搬送動作の開始から所定時間経過後に、冷凍機用空調機４０から供給される空気の設定温度Ｔｒｓが設定可能な範囲の上限温度Ｔｒｍａｘである場合に、冷凍機用空調機４０における冷凍機２０から排出される熱の処理を停止する。
【００５４】
これにより、冷凍機２０の流出口２３ｂから流出する空気の温度を上昇させることができるので、排気搬送機構２５によって高温の空気を店舗１内の所定箇所に搬送することができ、冷凍機２０から排出される熱をより有効に店舗１内の暖房の熱源として利用可能となる。また、冷凍機用空調機４０の出力を低下させることが可能となるので、冷凍機用空調機４０の駆動に必要なエネルギーの消費量を低減することが可能となる。
【００５５】
尚、前記実施形態では、冷凍機２０のケーシング２３内に、凝縮器２１及び凝縮器用送風機２２を収容するようにしたものを示したが、これに限られるものではない。冷凍機２０を構成する圧縮機についても店舗１内に熱を排出するため、ケーシング２３内に凝縮器２１及び凝縮器用送風機２２と共に圧縮機を収容し、圧縮機から排出される熱を冷凍機用空調機４０によって処理するようにしてもよい。
【００５６】
また、前記実施形態では、排熱利用処理において、冷凍機用空調機４０から店舗１内に供給する空気の設定温度Ｔｒｓが設定可能な範囲内の上限温度Ｔｒｍａｘであると判定した場合に、冷凍機用空調機４０を停止するようにしたものを示したが、これに限られるものではない。冷凍機用空調機４０から店舗１内に供給する空気の設定温度Ｔｒｓが設定可能な範囲内の上限温度Ｔｒｍａｘであると判定した場合に、冷凍機用空調機４０の排熱処理運転を中止して送風運転を行うようにしてもよい。
【００５７】
また、前記実施形態では、主空調機３０として４方向天井カセット型の空調機を用いるとともに、冷凍機用空調機４０としてビルトイン型の空調機を用いたものを示したが、これに限られるものではない。主空調機３０及び冷凍機用空調機４０としては、それぞれ４方向天井カセット型の空調機を用いてもよいし、ビルトイン型の空調機を用いてもよい。
【００５８】
また、前記実施形態では、複数の主空調機３０及び複数の冷凍機用空調機４０として、室外ユニットと室内ユニットとの間に冷凍サイクルが構成される空気調和装置の室内ユニットを用いたものを示したが、これに限られるものではない。主空調機３０及び冷凍機用空調機４０としては、例えば冷温水発生機によって生成された冷水または温水と店舗１内に供給する空気とを熱交換するエアハンドリングユニットやファンコイルユニットを用いてもよい。
【００５９】
また、前記実施形態では、排気搬送機構２５を複数備えたものを示したが（図１では３組）、これに限られるものではない。排気搬送機構２５の数は、冷蔵オープンショーケース１０の設置台数や店舗の大きさ等に応じて任意に設定すればよい。
【００６０】
また、前記実施形態では、排気搬送機構２５を、天井扇からなる排気搬送用送風機２５ａ、排気吹出口２５ｂ及び排気搬送用ダクト２５ｃから構成したものを示したが、これに限られるものではない。例えば、天井内に設けられた送風機と、送風機の吸入側にダクトを介して接続された吸入口と、送風機の吐出側にダクトを介して接続された吹出口と、から排熱搬送機構を構成してもよい。
【００６１】
また、前記実施形態では、主空調機３０が暖房運転モードの状態で、排気搬送機構２５による排気搬送動作を行うようにしたものを示したが、これに限られるものではない。例えば、主空調機３０が冷房運転モードの状態で、排気搬送機構２５による排気搬送動作を行ってもよい。この場合には、冷凍機２０から排出された熱を主空調機３０によって処理することができるので、冷凍機用空調機４０の冷却能力が不足する場合においても、冷凍機２０から排出された熱を確実に処理することが可能となる。
【符号の説明】
【００６２】
１…店舗、１０…冷蔵オープンショーケース、２０…冷凍機、２３ａ…流入口、２３ｂ…流出口、２５…排気搬送機構、２５ａ…排気搬送用送風機、３０…主空調機、４０…冷凍機用空調機、５０…コントローラ、５４…冷凍機用空調機吹出温度センサ。
【図１】
2020098086.tif 000003
【図２】
2020098086.tif 000004
【図３】
2020098086.tif 000005
【図４】
2020098086.tif 000006